(57)【要約】【課題】後カバーから流れ落ちる水を効率よく回収することができる加熱調理器を提供する。【解決手段】加熱室と、加熱室の後壁に開けられた孔を通して蒸気が流れる、後壁の後方に配置された排気路と、排気路から蒸気が外部に流れる通気孔を有し、排気路の後方を覆って配置された後カバーと、加熱室の下方に配置された下枠と、を備え、後カバーは、下部に前方に折り曲げられたフランジ部を有し、下枠は、後部に形成された凹部を有し、フランジ部の少なくとも一部の下端の下方に前記凹部が位置している、加熱調理器である。【選択図】図１２
2019148402.tif 000002
【特許請求の範囲】
【請求項１】
加熱室と、
前記加熱室の後壁に開けられた孔を通して蒸気が流れる、前記後壁の後方に配置された排気路と、
前記排気路から蒸気が外部に流れる通気孔を有し、前記排気路の後方を覆って配置された後カバーと、
前記加熱室の下方に配置された下枠と、
を備え、
前記後カバーは、下部に前方に折り曲げられたフランジ部を有し、
前記下枠は、後部に形成された凹部を有し、
前記フランジ部の少なくとも一部の下端の下方に前記凹部が位置している、
加熱調理器。
【請求項２】
前記フランジ部は、前記凹部へ水を案内する案内部を有する、
請求項１に記載の加熱調理器。
【請求項３】
前記フランジ部は、前記後カバーの前面視において、前記排気路と対向する前記後カバーの領域の真下に形成されている、
請求項１または２に記載の加熱調理器。
【請求項４】
前記凹部は、凹形状を形成する底壁と側壁とを有し、
前記凹部の前記側壁は、前記下枠の外側壁の一部を含み、
前記凹部の前記側壁は、前記凹部の前記底壁よりも下方に延びている、
請求項１から３のいずれか１つに記載の加熱調理器。
【発明の詳細な説明】
【技術分野】
【０００１】
本開示は、加熱室内の食品を加熱する加熱調理器に関する。
【背景技術】
【０００２】
従来、加熱調理器の加熱室内で加熱された空気は、加熱室の壁面に開けられた孔から、加熱調理器の後部に取り付けられた後カバーを通って外部へ排出される。このような構造を備える加熱調理器が、例えば、特許文献１に記載されている。
【０００３】
特許文献１では、加熱された空気が、加熱室の上面にある第１の排気口から加熱室の外に流れる。その後、空気は排気路を通り、排気路の第２の排気口から排気ダクト内に入る。排気ダクトに入った空気は、排気ダクトの外部排気口から、本体外部へ排出される。
【先行技術文献】
【特許文献】
【０００４】
【特許文献１】特開２０１７−８３１００号公報
【発明の概要】
【発明が解決しようとする課題】
【０００５】
しかしながら、加熱調理器が蒸気発生器を備えている場合や、加熱される食品から蒸気が多く出る場合など、加熱室から排気される空気に蒸気が多く含まれる。蒸気を含む空気が加熱室から排気される場合、後カバーに接触した蒸気が結露して、後カバーの前面を伝って流れ落ちる。この結果、後カバーを流れ落ちる水が溜まり、加熱調理器の金属部分の錆の原因となっていた。
【０００６】
従って、本開示の目的は、前記課題を解決することにあって、後カバーから流れ落ちる水を効率よく回収することができる加熱調理器を提供することにある。
【課題を解決するための手段】
【０００７】
前記目的を達成するために、本開示の一態様に係る加熱調理器は、
加熱室と、
前記加熱室の後壁に開けられた孔を通して蒸気が流れる、前記後壁の後方をに配置された排気路と、
前記排気路から蒸気が外部に流れる通気孔を有し、前記排気路の後方に配置された後カバーと、
前記加熱室の下方に配置された下枠と、
を備え、
前記後カバーは、下部に前方に折り曲げられたフランジ部を有し、
前記下枠は、後部に形成された凹部を有し、
前記フランジ部の少なくとも一部の下端の下方に前記凹部が位置している。
【発明の効果】
【０００８】
後カバーから流れ落ちる水を効率よく回収することができる加熱調理器を提供することができる。
【図面の簡単な説明】
【０００９】
【図１】実施形態に係る加熱調理器の前方斜視図
【図２】扉を開いた状態における加熱調理器の前方斜視図
【図３】扉を開いた状態における加熱調理器の側面図
【図４】扉を開いた状態における加熱調理器の正面図
【図５】加熱調理器の後方斜視図
【図６】前枠以外の筐体を取り外した加熱調理器の後方斜視図
【図７】ファンケースが取り付けられた加熱室の後壁の正面図
【図８】ファンケースの前方斜視図
【図９】図６の後カバーを取り外した加熱調理器の後方分解斜視図
【図１０】後カバーを取り外した加熱調理器の後面図
【図１１】後カバーの正面図
【図１２】後カバーの長手方向において一方側の下部周辺の拡大正面図
【図１３】下枠の長手方向において一方側の凹部を示す部分斜視図
【図１４】下枠の長手方向において一方側の断面から内方を見た図
【図１５】後カバーの長手方向において他方側の下部周辺の拡大正面図
【図１６】下枠の長手方向において他方側の凹部を示す部分斜視図
【図１７】下枠の長手方向において他方側の断面から内方を見た図
【発明を実施するための形態】
【００１０】
本開示の一態様によれば、加熱室と、前記加熱室の後壁に開けられた孔を通して蒸気が流れる、前記後壁の後方に配置された排気路と、前記排気路から蒸気が外部に流れる通気孔を有し、前記排気路の後方を覆って配置された後カバーと、前記加熱室の下方に配置された下枠と、を備え、前記後カバーは、下部に前方に折り曲げられたフランジ部を有し、前記下枠は、後部に形成された凹部を有し、前記フランジ部の少なくとも一部の下端の下方に前記凹部が位置している、加熱調理器である。
【００１１】
また、前記フランジ部は、前記凹部へ水を案内する案内部を有してもよい。
【００１２】
また、前記フランジ部は、前記後カバーの前面視において、前記排気路と対向する前記後カバーの領域の真下に形成されてもよい。
【００１３】
また、前記凹部は、凹形状を形成する底壁と側壁とを有し、前記凹部の前記側壁は、前記下枠の外側壁の一部を含み、前記凹部の前記側壁は、前記凹部の前記底壁よりも下方に延びている。
【００１４】
（実施の形態）
以下に、本開示の実施の形態に係る加熱調理器について、図１から図４を参照して説明する。図１は、実施の形態に係る加熱調理器１の前方斜視図である。図２は、扉７を開いた状態における加熱調理器１の前方斜視図である。図３は、扉７を開いた状態における加熱調理器１の側面図である。図４は、扉７を開いた状態における加熱調理器１の正面図である。なお、以下の説明において、Ｘ方向を加熱調理器１の長手方向（幅方向）とし、Ｙ方向を前後方向とし、Ｚ方向を高さ方向とする。また、以下の説明において、高さとは加熱調理器１の接地面からの距離をいう。
【００１５】
本開示の形態に係る加熱調理器１は、筐体３と、筐体３内に配置された加熱室５と、筐体３の前面となる前枠３ａに開けられた開口３ｂを開閉可能に覆う扉７とを備える。加熱室５は、上部に配置された上壁５ａと、両側部に配置された側壁５ｂ、５ｃと、後部に配置された後壁５ｄと、下部に配置された底壁５ｅに囲まれて形成される空間である。加熱室５には、マイクロ波を放射するためのマイクロ波放射口が備えられている。マイクロ波放射口から放射されたマイクロ波により加熱室５内に載置された被加熱物（食品）を誘電加熱するように構成されている。また、加熱室５の上部には蒸気吹き出し口が設けられ、加熱室５内に蒸気を供給することができる。
【００１６】
扉７は、開口３ｂの下方において、水平方向の回転中心で、筐体３に開閉可能に取り付けられている。扉７の上部に取り付けられたハンドル７ａをユーザが引くことにより、扉７が水平状態となるように回転操作されることで、加熱室５が開放される。また、扉７が垂直状態となるように回転操作されることで、加熱室５が閉じられる。
【００１７】
扉７は、正面視で一側方に表示部９と操作部１１とが配置されている。表示部９は、例えば、液晶画面であり、メニュー画面などが表示される。操作部１１は、例えば、押しボタンやダイヤルである。ユーザは操作部１１を用いて加熱調理器１に種々の調理指示を出す。
【００１８】
筐体３の下方には、筐体３の下端と結合される、下枠４９に前後方向に着脱可能な第１トレイ１３と第２トレイ１５とが配置されている。第１トレイ１３と第２トレイ１５とは、長手方向に並んで配置されている。例えば、第１トレイ１３は長手方向の一方側（左側）に、第２トレイ１５は長手方向の他方側（右側）に配置されている。第１トレイ１３は、例えば、加熱調理器１内に結露した水滴を溜めるためのトレイである。第２トレイ１５は、蒸気発生器１６へ給水する給水タンク（図示省略）を収容する。
【００１９】
次に、図５を参照する。図５は、加熱調理器の後方斜視図である。加熱調理器１の後側に、後カバー６が配置されている。後カバー６の上部には、排気ダクト２９が取り付けられている。
【００２０】
次に、図６を参照する。図６は、前枠３ａ以外の筐体３を取り外した加熱調理器１の後方斜視図である。加熱室の上壁５ａ、側壁５ｂおよび５ｃの外側にはそれぞれ断熱用の金属板が取り付けられている。図６には、上壁５ａの外側に取り付けられた金属板１２ａと側壁５ｃの外側に取り付けられた金属板１２ｃとが示されている。後カバー６は、後カバー６の内部と排気ダクト２９とを連通する通気孔６ａおよび６ｂと、加熱室５の金属板１２ａと排気ダクト２９とを連通する通気孔６ｃとを有する。
【００２１】
また、前枠３ａの下端は、底板３７と接続される。加熱室５の底壁５ｅと底板３７との間の空間は機械室３０として利用されている。この機械室３０には、加熱調理器１の各機能を駆動する駆動機構と、マイクロ波を発生させるマグネトロン（図示省略）と、このマグネトロンに電力を供給するマグネトロン駆動電源（図示省略）と、マイクロ波発生動作の制御などを行う制御部等（図示省略）が配置されている。また、機械室３０には、これらを冷却するための冷却用ファン（図示省略）が配置されている。
【００２２】
冷却用ファンからの冷却風が、金属板１２ｃおよび側壁５ｃに取り付けられた金属板に沿って下方から上方へ流れる。この冷却風は、金属板１２ａに沿って後方に流れ、通気孔６ｃを通って、排気ダクト２９内に流入する。また、この流れとは別に、機械室３０からの冷却風は、後カバー６の内部にも流れる。
【００２３】
次に、図７および図８を参照する。図７は、ファンケース２１が取り付けられた、加熱室５の後壁５ｄの正面図である。図８は、ファンケース２１の前方斜視図である。後壁５ｄの後方にはファン１７が配置されている。また、後壁５ｄは、ファン１７により加熱室５内の空気を循環させるために開けられた複数の吸気孔１９および排気孔２０を有する。また、後壁５ｄの長手方向の他方側には、加熱室５内の空気を加熱室５の後方に配置された排気路３１へ通す通気孔３３を備える。
【００２４】
ファンケース２１は、ファン１７を回転可能に支持する凹部２１ａと、凹部２１ａから立ち上がって、凹部２１ａの周囲に形成された平坦部２１ｂとを有する。ファンケース２１は循環用のファン１７の後方を覆う。ファンケース２１は加熱室５の後壁５ｄに取り付けられている。
【００２５】
ファン１７の回転方向に沿って、シーズヒータ２３が凹部２１ａに配置されている。ファン１７が回転駆動されることで、加熱室５の空気は吸気孔１９から吸引される。吸引された空気は、シーズヒータ２３により加熱されて、排気孔２０を通って加熱室５へ戻る。ファン１７とシーズヒータ２３とでコンベクションヒータを構成している。
【００２６】
脚部２４がファンケース２１の両側部の下端部に取り付けられている。それぞれの脚部２４の下端部の高さは、前枠３ａの下端部の高さと同じである。ファンケース２１の下部には、結露して落下する水を案内する水受け部２７が取り付けられている。水受け部２７は、ファンケース２１の長手方向に延びている。
【００２７】
図８に示すように、ファンケース２１の他方側の側部には、後方に凹形状で上下方向に延びる排気筒３５が形成されている。排気筒３５は、通気孔３３の後方に位置する。ファンケース２１が加熱室５の後壁５ｄに取り付けられると、後壁５ｄの後面の一部が排気筒３５の前面として構成される。排気筒３５により排気路３１が形成される。
【００２８】
次に、図９から図１１を参照する。図９は、図６の後カバーを取り外した加熱調理器の後方分解斜視図である。図９には、ファンケース２１の後面が示されている。図１０は、後カバーを取り外した加熱調理器の後面図である。図１１は、後カバー６の正面図である。図１１において、後カバー６上で示される矢印は蒸気の流れを示す。後カバー６は、ファンケース２１を挟んでファン１７と対向する凹部６ｄと、凹部６ｄから立ち上がって凹部６ｄを取り囲む平坦部６ｋとを有する。凹部６ｄの上側面となる上壁６ｅには、通気孔６ａ、６ｂが形成されている。平坦部６ｋの上部には、通気孔６ｃが形成されている。
【００２９】
排気筒３５の上端に開けられた上開口３５ａから上昇する蒸気はそのほとんどが後カバー６の通気孔６ａを通って、排気ダクト２９へ流れる。しかしながら、一部の蒸気は、後カバー６と接触することで冷やされて水滴となる。後カバー６は外気と接しているので加熱室５内よりも温度が低く、蒸気が冷やされて結露が発生しやすい。したがって、排気路３１を形成する排気筒３５と対向する後カバー６の領域６ｈで水滴が発生しやすい。また、排気筒３５の上開口３５ａから流れる蒸気の一部は、後カバー６の凹部６ｄの上壁６ｅに沿って、他方側から一方側に流れて、通気孔６ｂから排気ダクト２９へ流れる。ここでも、一部の蒸気は、通気孔６ｂの下方に流れて後カバー６と接触することで結露する。
【００３０】
このように、後カバー６の凹部６ｄの両側部において結露が発生しやすい。特に、後カバー６において排気路３１（排気筒３５）と対向する領域６ｈおよびその内側周辺の領域は結露しやすい。そこで、図１１に示すように、凹部６ｄの両側部の下部から、それぞれ第１フランジ部６ｆと第２フランジ部６ｇが延びている。第１フランジ部６ｆは、後カバー６の一方側の下部から延びている。第２フランジ部６ｇは、後カバー６の他方側の下部から延びている。特に、第２フランジ部６ｇは、後カバー６の前面視において、後カバー６の領域６ｈおよびその内側の領域の真下の下部から延びている。
【００３１】
次に、図１２を参照する。図１２は、後カバー６の長手方向において一方側の下部周辺の拡大正面図である。第１フランジ部６ｆは、後カバー６の下部から下縁部に沿って前方に折り曲げられている。また、第１フランジ部６ｆは、一方側に流れ落ちた水を内側へ案内する案内部６ｆａを有する。案内部６ｆａは、例えば、第１フランジ部６ｆの一方側へ延びる尖鋭状の先端部を前縁部に沿って内側へ折り返して重ねることで形成される。
【００３２】
凹部６ｄの一方側の前面で結露した水滴は、自重により凹部６ｄに沿って下方へ流れ落ちる。凹部６ｄの下部の立ち上がり部分は緩やかに下方に傾斜しているので、水滴は、凹部６ｄから平坦部６ｋへ滑らかに流れ、第１フランジ部６ｆに至る。
【００３３】
次に、図１３および図１４を参照する。図１３は、下枠４９の長手方向において一方側の凹部を示す部分斜視図である。図１４は、下枠４９の長手方向において一方側の断面から内方を見た図である。
【００３４】
下枠４９は、後カバー６の第１フランジ部６ｆの真下に水を貯留する第１凹部４９ａを有する。第１凹部４９ａは、下枠の外側壁４９ｂと、下枠４９の下部から立ち上がった側壁４９ｃと、外側壁４９ｂと側壁４９ｃとを水平方向に接続する底壁４９ｄとで形成される。外側壁４９ｂ、側壁４９ｃ、および底壁４９ｄは、下枠４９の一部分としてそれぞれ一体形成されている。
【００３５】
下枠４９の第１凹部４９ａが、第１フランジ部６ｆの直下に配置されているので、第１フランジ部６ｆから落ちた水を第１凹部４９ａで受けとめることができる。第１凹部４９ａに溜まった水は、自然乾燥により蒸発することで除去される。
【００３６】
第１フランジ部６ｆの案内部６ｆａの外側先端部の直下には、第１凹部４９ａは配置されていない。しかしながら、案内部６ｆａを流れる水は、内側に案内されて第１凹部４９ａの直上に至るので、第１凹部４９ａに収容することができる。したがって、第１フランジ部６ｆが案内部６ｆａを有することで、第１凹部４９ａの配置の自由度を向上させることができる。
【００３７】
第１フランジ部６ｆの下端は、第１凹部４９ａ内に挿入されてもよい。第１フランジ部６ｆの下端の高さが、第１凹部４９ａの上端よりも低くてもよい。この構成により、第１フランジ部６ｆから落ちる水を確実に第１凹部４９ａへ収容することができる。
【００３８】
第１凹部４９ａの底壁４９ｄは、第１凹部４９ａの側壁となる、外側壁４９ｂの一部および側壁４９ｃの下端よりも高い位置にある。これにより、第２凹部４９ｅの底壁４９ｄが第１凹部４９ａの側壁となる、外側壁４９ｂの一部および側壁４９ｇの下端よりも高い位置にあることで、第２凹部４９ｅの底壁４９ｄがリブとして機能し、第２凹部４９ｅが形成されている下枠４９の強度を保持することができる。
【００３９】
次に、図１５を参照する。図１５は、後カバー６の長手方向において他方側の下部周辺の拡大正面図である。第２フランジ部６ｇは、後カバー６の下部から下縁部に沿って前方に折り曲げられている。また、第２フランジ部６ｇは、他端側に流れ落ちた水を内側へ案内する案内部６ｇａを有する。案内部６ｇａは、例えば、第１フランジ部６ｆの他方側へ延びる尖鋭状の先端部を前縁部に沿って内側へ折り返して重ねることで形成される。
【００４０】
凹部６ｄの他方側の前面で結露した水滴は、自重により凹部６ｄに沿って下方へ流れ落ちる。凹部６ｄの下部の立ち上がり部分は緩やかに下方に傾斜しているので、水滴は、凹部６ｄから平坦部６ｋへ滑らかに流れ、第２フランジ部６ｇに至る。
【００４１】
次に、図１６および図１７を参照する。図１６は、下枠４９の長手方向において他方側の凹部を示す部分斜視図である。図１７は、下枠４９の長手方向において他方側の断面から内方を見た図である。
【００４２】
下枠４９は、後カバー６の第２フランジ部６ｇの真下に水を貯留する第２凹部４９ｅを有する。第２凹部４９ｅは、下枠４９の外側壁４９ｂと、下枠４９の下部から立ち上がった側壁４９ｇと、外側壁４９ｂと側壁４９ｇとを水平方向に接続する底壁４９ｈとで形成される。外側壁４９ｂ、側壁４９ｃ、および底壁４９ｈは、下枠４９の一部分としてそれぞれ一体形成されている。
【００４３】
下枠４９の第２凹部４９ｅが、第２フランジ部６ｇの直下に配置されているので、第２フランジ部６ｇから落ちた水を第２凹部４９ｅで受けとめることができる。第２凹部４９ｅに溜まった水は、自然乾燥により蒸発することで除去される。
【００４４】
第２フランジ部６ｇの案内部６ｇａの外側先端部の直下には、第２凹部４９ｅは配置されていない。しかしながら、案内部６ｇａを流れる水は、内側に案内されて第２凹部４９ｅの直上に至るので、第２凹部４９ｅに収容することができる。したがって、第２フランジ部６ｇが案内部６ｇａを有することで、第２凹部４９ｅの配置の自由度を向上させることができる。
【００４５】
第２フランジ部６ｇの下端は、第２凹部４９ｅ内に挿入されてもよい。第２フランジ部６ｇの下端の高さが、第２凹部４９ｅの上端よりも低くてもよい。この構成により、第２フランジ部６ｇから落ちる水を確実に第２凹部４９ｅへ収容することができる。
【００４６】
第２凹部４９ｅの底壁４９ｄは、第２凹部４９ｅの側壁となる、外側壁４９ｂの一部および側壁４９ｇの下端よりも高い位置にある。これにより、第２凹部４９ｅの底壁４９ｄが第２凹部４９ｅの側壁となる、外側壁４９ｂの一部および側壁４９ｇの下端よりも高い位置にあることで、第２凹部４９ｅの底壁４９ｄがリブとして機能し、第２凹部４９ｅが形成されている下枠４９の強度を保持することができる。
【００４７】
加熱調理器１は、加熱室５と、加熱室５の後壁５ｄに開けられた通気孔３３を通して蒸気が流れる、後壁５ｄの後方に配置された排気路３１とを備える。また、加熱調理器１は、排気路３１から蒸気が外部に流れる通気孔６ａを有し、排気路３１の後方を覆って配置された後カバー６と、加熱室の下方に配置された下枠４９と、を備える。後カバー６は、下部に前方に折り曲げられた第２フランジ部６ｇを有する。下枠４９は、後部に形成された第２凹部４９ｅを有する。第２フランジ部６ｇの少なくとも一部の下端の下方に第２凹部４９ｅが位置している。これだけの構成から、以下の効果を得ることができる。
【００４８】
加熱室５内の蒸気は排気路３１から後カバー６の通気孔６ａへ抜けるが、一部の蒸気は、後カバー６に接触した後冷やされて水滴となる。この水滴は、後カバー６を伝って下方に落下する。後カバー６の下部に形成された第２フランジ部６ｇは、前方に折り曲げられている。また、第２フランジ部６ｇの下端部の下方への延長上に第２凹部４９ｅがあるので、後カバー６を伝って落下する水滴は、第２フランジ部６ｇの下端から第２凹部４９ｅへ落下する。これにより、後カバー６で結露した水滴を、下枠４９に形成された第２凹部４９ｅに回収することができる。
【００４９】
また、第２フランジ部６ｇは、第２凹部４９ｅへ水を案内する案内部６ｇａを有する。第２フランジ部６ｇが、第２凹部４９ｅへ水を案内する案内部６ｇａを有するので、第２フランジ部６ｇの下端の下方に第２凹部４９ｅが位置しない部分を流れる水も第２凹部４９ｅへ案内することができる。したがって、後カバー６の広い範囲の水滴を第２凹部４９ｅへ案内することができる。
【００５０】
また、第２フランジ部６ｇは、後カバー６の前面視において、排気路３１と対向する後カバー６の領域６ｈの真下に形成されている。蒸気が流れる排気路３１と対向する後カバー６の領域６ｈは、排気路３１から出てきた蒸気が冷やされて水滴ができやすい領域である。後カバー６の前面視において、この領域６ｈの真下に第２フランジ部６ｇが配置されているので、水滴を効率よく第２凹部４９ｅへ回収することができる。
【００５１】
第２凹部４９ｅは、凹形状を形成する底壁４９ｄと外側壁４９ｂの一部および側壁４９ｇを有し、第２凹部４９ｅの底壁４９ｄは、第２凹部４９ｅの側壁となる、外側壁４９ｂおよび側壁４９ｇの下端よりも高い位置にある。これにより、第２凹部４９ｅの底壁４９ｄが第２凹部４９ｅの側壁を形成する外側壁４９ｂの一部および側壁４９ｇの下端よりも高い位置にあることで、第２凹部４９ｅの底壁４９ｄがリブとして機能し、第２凹部４９ｅが形成されている下枠４９の強度を保持することができる。
【００５２】
本開示は、上記実施形態のものに限らず、次のように変形実施することができる。
【００５３】
上記実施形態において、案内部６ｆａ、６ｇａは尖鋭部を折り返すことで形成していたが、これに限られない。例えば、折り返し構造の替わりに溝を有し、流れる水が溝に沿って凹部へ案内されてもよい。
【００５４】
なお、上記様々な実施の形態および変形例のうちの任意の実施の形態を適宜組み合わせることにより、それぞれの有する効果を奏するようにすることができる。
【００５５】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【産業上の利用可能性】
【００５６】
本開示にかかる加熱調理器は、例えば、高周波加熱調理器や、蒸気発生器付き高周波加熱調理器や、ヒータ付き高周波加熱調理器として有用である。
【符号の説明】
【００５７】
１    加熱調理器
３    筐体
３ａ  前枠
３ｂ  開口
５    加熱室
５ａ  上壁
５ｂ、５ｃ  側壁
５ｄ  後壁
５ｅ  底壁
６    後カバー
６ａ  通気孔
６ｂ  通気孔
６ｃ  通気孔
６ｄ  凹部
６ｅ  上壁
６ｆ  第１フランジ部
６ｆａ  案内部
６ｇ  第２フランジ部
６ｇａ  案内部
６ｈ  領域
６ｋ  平坦部
７    扉
７ａ  ハンドル
９    表示部
１１    操作部
１２ａ、１２ｃ  金属板
１３    第１トレイ
１４    給水タンク
１５    第２トレイ
１５ａ  貯水部
１６    蒸気発生器
１７    ファン
１９    吸気孔
２０    排気孔
２１    ファンケース
２１ａ  凹部
２１ｂ  平坦部
２３    シーズヒータ
２４    脚部
２５    フランジ部
２７    水受け部
２９    排気ダクト
３０    機械室
３１    排気路
３３    通気孔
３５    排気筒
３５ａ  上開口
３５ｂ  下開口
３７    底板
４９    下枠
４９ａ  第１凹部
４９ｂ  外側壁
４９ｃ  側壁
４９ｄ  底壁
４９ｅ  第２凹部
４９ｇ  側壁
４９ｈ  底壁
【図１】
2019148402.tif 000003
【図２】
2019148402.tif 000004
【図３】
2019148402.tif 000005
【図４】
2019148402.tif 000006
【図５】
2019148402.tif 000007
【図６】
2019148402.tif 000008
【図７】
2019148402.tif 000009
【図８】
2019148402.tif 000010
【図９】
2019148402.tif 000011
【図１０】
2019148402.tif 000012
【図１１】
2019148402.tif 000013
【図１２】
2019148402.tif 000014
【図１３】
2019148402.tif 000015
【図１４】
2019148402.tif 000016
【図１５】
2019148402.tif 000017
【図１６】
2019148402.tif 000018
【図１７】
2019148402.tif 000019